(57)【要約】【課題】簡単な取り扱い作業により、確実かつ強固にドラム缶同士を連結し、互いに固定して耐震性を高めて転倒を防止するドラム缶の連結具を提供する。【解決手段】ドラム缶１０の上縁凸部１１に係止する把持部２と、この把持部２を両端に有する連結ロッド３より構成し、把持部２は連結ロッド３に対して水平方向に回動自在とし、把持部２は上下位置で離接自在に対峙した把持爪４、５を有することを特徴とする。【選択図】  図２
2011157125.tif 000002
【特許請求の範囲】
【請求項１】
ドラム缶の上縁凸部に係止する把持部と、この把持部を両端に有する連結ロッドより構成し、把持部は連結ロッドに対して水平方向に回動自在とし、把持部は上下位置で離接自在に対峙した把持爪を有することを特徴とするドラム缶の連結具。
【請求項２】
対峙した把持爪の一方は、他方の把持爪に設けた垂直軸に緩挿して昇降自在とし、対峙した把持爪間に連結ロッドの連結部を垂直軸に弾性材を介して緩挿したことを特徴とする請求項1記載のドラム缶の連結具。
【請求項３】
垂直軸が螺軸であり、ナットの弛緩によって一方の把持爪を昇降させることを特徴とする請求項２記載のドラム缶の連結具。
【請求項４】
螺軸に上下方向のガイド溝を設けると共に、このガイド溝に嵌挿するピンを昇降する把持爪に設けたことを特徴とする請求項３記載のドラム缶の連結具。
【発明の詳細な説明】
【技術分野】
【０００１】
本発明は、起立して並設したドラム缶同士を連結し、地震時や輸送時の揺れ・振動に転倒しないようにするドラム缶の連結具に関するものである。
【背景技術】
【０００２】
従来のドラム缶の転倒を防止するため、例えば特開２００９−１２６６３２号公報では、円筒状物の配列方向と並行に延びる第１レール溝を有する天井に取り付けられた第１レールに、それぞれが第１レールと連結可能であり第１レールを移動する一様な厚さと縦長状の平坦な面とを有し、可動板の平坦な面が、前記配列方向と並行に配置されたときに、前記円筒状物の少なくとも一部に接触するようにし、さらに、前記配列方向と直交する方向に延びる第２レール溝を有する第２レールを有し、第２レール溝には、前記可動板を支持し移動可能に回転する車輪が配置され、移動する方向を前記配列方向又は前記配列方向に直交する方向いずれかの一方向から他方向へ変更して前記車輪の上を移動するようにしたものが開示されている。
【０００３】
また、不燃性伸縮部材と不燃性ベルトとより成り、両端に建築物等の固定部分に係止する係止具を設けたベルトでドラム缶を建築物に縛り付けて転倒を防止せんとする実開昭６４−１４６６３号公報がある。
【０００４】
さらに、パレット上に配設立設した複数本のドラム缶の胴部をベルト等の紐状体で固縛して全体の一体化を図って安定感を高める方法も採られている。
【先行技術文献】
【特許文献】
【０００５】
【特許文献１】特開２００９−１２６６３２号公報
【特許文献２】実開昭６４−１４６６３号公報
【発明の概要】
【発明が解決しようとする課題】
【０００６】
上記特開２００９−１２６６３２号公報では装置を特定空間内に設置するため、特別の家屋や設備投資が必要であって、簡単に利用できない問題があり、また、実開昭６４−１４６６３号公報公報では係止するための建築物等の固定部に近いことの制約があり、一本のベルトで起立の維持は困難である。
【０００７】
更に、複数本のドラム缶にベルト等を掛けまわして固定することは、一人で行うのは困難であり、例え締め付けることが出来たとしても、ドラム缶の上下端に突縁が形成されているため確実且つ安定した固縛には事実上無理がある。
そして、空のドラム缶や収容物が軽量な場合は、運搬中の振動でベルトが緩んで荷崩れが発生するおそれもある。
【０００８】
そこで、本発明は、簡単な取り扱い作業により、確実かつ強固にドラム缶同士を連結し、互いに固定して耐震性を高めて転倒を防止するドラム缶の連結具を提供せんとするものである。
【課題を解決するための手段】
【０００９】
本発明の請求項１のドラム缶の連結具は、ドラム缶の上縁凸部に係止する把持部と、この把持部を両端に有する連結ロッドより構成し、把持部は連結ロッドに対して水平方向に回動自在とし、把持部は上下位置で離接自在に対峙した把持爪を有することを特徴とするものである。
【００１０】
請求項２の発明は、請求項1記載のドラム缶の連結具において、対峙した把持爪の一方は、他方の把持爪に設けた垂直軸に緩挿して昇降自在とし、対峙した把持爪間に連結ロッドの連結部を垂直軸に弾性材を介して緩挿したことを特徴とするものである。
【００１１】
請求項３の発明は、請求項２記載のドラム缶の連結具において、垂直軸が螺軸であり、ナットの弛緩によって一方の把持爪を昇降させることを特徴とするものであり、さらに、請求項４の発明は、請求項３記載のドラム缶の連結具において、螺軸に上下方向のガイド溝を設けると共に、このガイド溝に嵌挿するピンを昇降する把持爪に設けたことを特徴とするものである。
【発明の効果】
【００１２】
本発明の請求項1は、把持部の把持爪によってドラム缶の上縁凸部を上下から把持するものであるから、確実に把持することができ、この把持部を両端に有する連結ロッドによりドラム缶同士を連結し、又は他方を係止物に係止すれば、連係距離が広狭せず、安定した連結状態を維持できる効果を有する。
又、両方の把持部を１個のドラム缶に把持すれば、連結ロッドが連係用のロープやベルトの結着部分と利用できる効果も発揮する。
【００１３】
また、把持部は連結ロッドに対して水平方向に回動自在であるから、連結ロッドの長さが一定であっても、把持部を回動して把持位置を決定して把持間隔を調整することができる効果を有する。
【００１４】
請求項２の発明は、請求項１の効果に加え、対峙した把持爪の一方は、他方の把持爪に設けた垂直軸に緩挿して昇降自在として把持するため、作動の確実性が確保され、対峙した把持爪間に連結ロッドの連結部を垂直軸に弾性材を介して緩挿したため、把持部と連結ロッドの角度が自由に設定できると共に、把持時には挟持してその角度を固定して連結の状態を維持できる効果を有する。
【００１５】
請求項３の発明は、請求項１及び２の効果に加え、垂直軸が螺軸であり、ナットの弛緩によって一方の把持爪を昇降させるものであるから、昇降手段の作動操作が容易であり、前記弾性材によって昇降する爪や連結ロッドのともまわりを防止できる効果も有する。
【００１６】
請求項４の発明は、請求項１乃至３の効果に加え、螺軸に上下方向のガイド溝を設けると共に、このガイド溝に嵌挿するピンを昇降する把持爪に設けたため、より確実に昇降する把持爪のともまわりを防止できる効果も有する。
【図面の簡単な説明】
【００１７】
【図１】本発明の連結具の一実施の形態を示す一部縦断正面図である。
【図２】本発明の連結具の他の実施の形態を示す要部部縦断正面図である。
【図３】本発明の連結具の使用の状態を示す平面図である。
【図４】本発明の連結具の他の使用の状態を示す平面図である。
【発明を実施するための形態】
【００１８】
本発明の実施の形態例を図面に基づいて説明する。
図１は本発明のドラム缶の連結具の一実施の形態を示す一部縦断正面図であり、連結具１はドラム缶１０の上縁凸部１１に係止する把持部２、２と、この把持部２、２を両端に有する連結ロッド３より成り、把持部２は上下位置で離接自在に対峙した把持爪４、５で形成している。
【００１９】
上部把持爪４は把持先端が下方に屈曲４１してドラム缶１０の上縁凸部１１を形成するバンドに引っ掛り易くしてあり、基部側に螺軸４２が垂下している。
この螺軸４２に下部把持爪５の基部に設けた孔５１を挿入して対峙させ、更にナット６を螺入し、ナット６を締緩することで下部把持爪５を昇降させて上部把持爪４とで把持するものである。
【００２０】
また、上部把持爪４と下部把持爪５の間には、連結ロッド３の両端リング部３１に前記螺軸４２を挿通し、上部把持爪４と下部把持爪５との間に弾性材７、７を挟んで介在してある。
弾性材７、７が伸びている時は、把持部２は水平方向に回動可能であり、連結ロッド３との角度が自由に設定できると共に、収縮して目的物を把持した時にはその角度をして連結ロッド３を固定でき、弾性材７、７によって昇降する把持爪４、５や連結ロッド３のともまわりも防止できる。
【００２１】
弾性材７は、例えばゴム等を用いることができる。
また、当接する連結ロッド３のリング部３１に滑り止め加工３２を施しておいても良い。
【００２２】
図２は本発明の連結具の他の実施の形態を示す要部部縦断正面図であり、螺軸４２に上下方向のガイド溝４３を設け、このガイド溝４３に嵌挿するピン５２を昇降する下部把持爪５に設けたものである。
ピン５２がガイド溝４３に嵌挿していることにより、確実に昇降させることができると共に、ナット６による締め付け時に生じる虞のある下部把持爪５のともまわりを防止できる。
【００２３】
ガイド溝４３は、透孔又は穴の何れで形成してもよい。
また、ピン５２は、下部把持爪５の孔５１の内方に突設して設け、或いは、孔５１を横切る挿入孔を下部把持爪５の外周から横設し、ガイド溝４３とで形成される連通孔にピン５２を抜き差し自在に嵌入するようにしても良い。
【００２４】
図３は本発明の連結具の使用の状態を示す平面図であり、４個のドラム缶１０が連結具１を用いて固定された状態を示す。
４個のドラム缶１０、１０、１０、１０を略正方形に互いに隣接して定置し、隣接するドラム缶１０同士を連結具１で連係している。
すなわち、連結具１の両端に有する把持部２の上・下部把持爪４、５をドラム缶１０の上縁凸部１１に挟み、下部爪５を上昇させて強固に把持して隣接するドラム缶１０同士を連結したものである。
【００２５】
連結ロッド３の長さは一定であるけれど、その長さに合わせて連係するドラム缶１０、１０の適宜場所を定め、把持部２を水平方向に回動させ、微調節をして位置決定すればよく、総ての連結具１とドラム缶１０との係止位置関係を一致させる必要も無い。
隣接するドラム缶１０同士が連結具１で連係されていることで、全体に一体性が生じて耐震性が向上するものとなる。
【００２６】
図４は本発明の連結具１の他の使用の状態を示す平面図であり、同一のドラム缶１０に連結具１を取り付け、連結ロッド３を他の支持物８（建物の不動部、トラック本体や荷台、或いは他のドラム缶等）１２との連結用ベルト等９の引き掛け結着部に用いている。
【００２７】
以上、本発明を実施の形態に基づき具体的に説明したが、本発明は上記の実施形態に限定されるものではなく、さらに、連結ロッド３にターンバックル等を介在させて把持部２、２間の長さ調節をするようにしても良く、発明の思想を逸脱することなく、本発明の特徴を有し同等の作用効果を発揮する連結具にも適用可能である。
【符号の説明】
【００２８】
１    連結具
２    把持部
３    連結ロッド
３１  リング部
３２  すべり止め加工
４    上部把持爪
４１  屈曲
４２  螺軸
４３  ガイド溝
５    下部把持爪
５１  孔
５２  ピン
６    ナット
７    弾性材
８    支持物
９    ベルト
１０  ドラム缶
１１  上縁凸部
【図１】
2011157125.tif 000003
【図２】
2011157125.tif 000004
【図３】
2011157125.tif 000005
【図４】
2011157125.tif 000006
【手続補正書】
【提出日】平成22年2月8日(2010.2.8)
【手続補正１】
【補正対象書類名】明細書
【補正対象項目名】００２６
【補正方法】変更
【補正の内容】
【００２６】
図４は本発明の連結具１の他の使用の状態を示す平面図であり、同一のドラム缶１０に連結具１を取り付け、連結ロッド３を他の支持物８（建物の不動部、トラック本体や荷台、或いは他のドラム缶等）の係止具１２との連結用ベルト等９の引き掛け結着部に用いている。
【手続補正２】
【補正対象書類名】明細書
【補正対象項目名】００２８
【補正方法】変更
【補正の内容】
【００２８】
１    連結具
２    把持部
３    連結ロッド
３１  リング部
３２  すべり止め加工
４    上部把持爪
４１  屈曲
４２  螺軸
４３  ガイド溝
５    下部把持爪
５１  孔
５２  ピン
６    ナット
７    弾性材
８    支持物
９    ベルト
１０  ドラム缶
１１  上縁凸部
１２  係止具
【手続補正３】
【補正対象書類名】図面
【補正対象項目名】全図
【補正方法】変更
【補正の内容】
【図１】
2011157125.tif 000007
【図２】
2011157125.tif 000008
【図３】
2011157125.tif 000009
【図４】
2011157125.tif 000010